(57)【要約】      （修正有）【課題】墓前に面したときには今でも戯れてくれると、亡くなった愛玩動物をリアルに思い出すことのできるペットの墓を提供する。【解決手段】下台石に載置される蓋石の上に、若しくは厚板状に形成される座面石の上に、前方へ向く対面プレートの支持石を立設し、対面プレートにペットが生存中に撮られた写真を基にコンピュータの制御によりレーザー彫り加工してなる遺影が表されている。【効果】対面プレートに愛玩動物がリアルに表出されているため、それを支持石に装着しておくことにより、その愛玩動物固有の墓となり、墓前において対面プレートに向かうと、今にも戯れてくるのではないかと、家族の一員としてリアルに思い出され、楽しく時には心が癒される。また、墓は屋外、屋内のいずれに置くにしても、写真とは違って遺影が失せることはなく、それに半永久的に会い対面することができる。【選択図】図１
0003145075.tif 000002
【実用新案登録請求の範囲】
【請求項１】
下台石に載置される蓋石の上に、若しくは厚板状に形成される座面石の上に、前方へ向く対面プレートの支持石を立設し、対面プレートにペットが生存中に撮られた写真を基にコンピュータの制御によりレーザー彫り加工してなる遺影が表されていることを特徴とするペットの墓。
【請求項２】
支持石がやゝ後ろに傾斜する起立状であって、それに対面プレートを定着するためにその左右縁が嵌まる係合溝が形成されていることを特徴とする請求項１記載のペットの墓。
【請求項３】
支持石に前方へ低い傾斜面を設け、その傾斜面に対面プレートがその厚みにおいて納まる広い凹所が形成されていることを特徴とする請求項１記載のペットの墓。
【考案の詳細な説明】
【技術分野】
【０００１】
この発明は、犬、猫、小鳥等の愛玩動物が亡くなった場合にその遺骨を納める小型のペットの墓に関する。
【背景技術】
【０００２】
人と動物とはずいぶん古くからお互いに生命あるものとして共存してきており、その生命を尊重する形式としてペットの墓がおそらく同じように古くから存在していたに違いない。当初は人間の墓と同様に遺体を土に埋めその上に木を植える等の簡素な埋葬が行われたものと考えられるが、民家が密集していることが多い現代においては、死体を土に埋めるということは衛生上等の観点から不適当であり、このようなことから、ペット専門の火葬場や墓地もある時代となっている。また、火葬に付すことを原則としその遺骨を納めるペットの墓の提案がなされる。
【０００３】
従来のペットの墓は、厚紙や木材で組立て式の簡略なものが多いが、自然石や人工石により本格的に造られるものとして、本出願人に係る特許文献１に記載されるものを挙げることができる。これによると、下から積まれる順に座面石５１と、下台石５２と、蓋石５３とからなり、座面石５１の中の納骨室５５に骨壺５４が納められ、また、座面石５１の上には墓前に香炉５６が置かれる。人の墓とは違って小形であるので、座面石５１を角筒形に形成することにより上面が納骨口６０となるよう納骨室５５が設けられ、その上の蓋石５３の上げ下ろしにより開閉できるようになっている。
【０００４】
また、蓋石５３は、笠石５７、上台石５８，棹石５９を一体に形成したもので、そのうちの笠石５７が蓋本体の役目を果たしている。そのため、持ち上げる必要から人の墓とは違って下台石５２に対して接着されていなく、笠石５７の下面に下台石５２の上端が嵌まる環状凹溝が形成される。
【特許文献１】特開２００４−１２４６２１号公報
【考案の開示】
【考案が解決しようとする課題】
【０００５】
上記のようなペットの墓によれば、構造が簡単でありながら人の墓に似ているために本格的として好評ではあるが、人の墓の場合は、血縁を重んじる厳粛な供養という意味合いにおいて礼拝するのに対して、ペットの墓の場合は、家族の一員であったものとしての意味合いがあるものの、直接自分に慕ってくれた、心を癒してくれたという楽しい思い出を伴って礼拝するという傾向が強いため、このような遺族の心情に応じる必要があると考えられた。
【０００６】
この考案は、上記のような実情に鑑みて、墓前に面したときには今でも戯れてくれると、亡くなった愛玩動物をリアルに思い出すことのできるペットの墓を提供することを課題とした。
【課題を解決するための手段】
【０００７】
上記の課題を解決するために、この考案は、下台石に載置される蓋石の上に、若しくは厚板状に形成される座面石の上に、前方へ向く対面プレートの支持石を立設し、対面プレートにペットが生存中に撮られた写真を基にコンピュータの制御によりレーザー彫り加工してなる遺影が表されていることを特徴とするペットの墓を提供するものである。
【０００８】
ペットの墓を上記のように構成したから、墓の提供者においては、店にレーザー彫り装置が常備される。そして、注文があったときは、犬、猫、小鳥等の愛玩動物を生存中に撮っておいた写真を顧客から受け取って、その写真を基に、石や金属等の対面プレートに愛玩動物の遺影をコピーし、それを支持石に添えて顧客に提供する。この場合、レーザーの走査と強弱等により対面プレートには微細に凹凸や粗面が形成されることによりリアルに遺影が表出されている。
【考案の効果】
【０００９】
この考案のペットの墓によれば、上記のように対面プレートに愛玩動物がリアルに表出されているため、それを支持石に装着しておくことにより、その愛玩動物固有の墓となり、墓前において対面プレートに向かうと、今にも戯れてくるのではないかと、家族の一員としてリアルに思い出され、楽しく時には心が癒される。また、墓は屋外、屋内のいずれに置くにしても、写真とは違って遺影が失せることはなく、それに半永久的に会い対面することができる。
【考案を実施するための最良の形態】
【００１０】
次に、この考案の実施形態を図面に基づいて説明する。
【００１１】
図１および図２は、一実施の形態を示したもので、そのペットの墓Ｐａは、座面石１と、下台石２と、蓋石３と、対面プレート５の支持石４とが順次積み上げられ小型に組み立てられるもので、下台石２が矩形の角筒形に形成することによりその中が納骨室９となっており、蓋石３を持ち上げることによりその中に骨壺１１が納められる。したがって、納骨室９の構造は、従来例として説明した図９のものと同様である。また、墓前には香炉１３が置かれる。
【００１２】
支持石４は、棹石に似て起立した形状であるが、前面がやゝ傾斜しており、その前面が広く開口し対面プレート５が納まる凹面であるとともに、上端が対面プレート５の差込口１６となって係合するように、凹部の両側に対面プレート５の端縁が係る係合溝１７，１７が設けられる。
【００１３】
対面プレート５は、差込口１６から凹部に落とし込む矩形であるが、上端に摘み１９が湾曲して突出されている。そして、前面には亡くなった犬の写真を基にレーザー彫り加工によりその顔の遺影８が丸の中に納める形で刻設され、上端部には「Ｇｏｎｔａ」とその犬の名前が、下端部には命日が、丸の周囲には草葉の模様が表現される。
【００１４】
図３は他の実施形態を示したもので、そのペットの墓Ｐｂは、下台石２と、蓋石３と、支持石４とからなり、座面石を省いたので、下台石２を箱型に形成することにより納骨室９が設けられる。また、対面プレート５は円板形であって、支持石４は、蓋石３の上に載る座部２３の上に左右対象のアーチ形受け２５をやゝ後ろ傾斜に設け、アーチ形受け２５の内周面に対面プレート５が掛かる係合溝１７を形成してある。
【００１５】
図４はさらに他の実施形態を示したもので、そのペットの墓Ｐｃは同じく箱型の下台石２と、蓋石３と、支持石４とからなり、支持石４は、蓋石３の上にハート形において突出するとともに、その上面が前方へ低く傾斜し、その傾斜面に円形の対面プレート５が落とし込まれる同じく円形の凹所２７が設けられる（図５）。従って、違った時の写真の対面プレートと取り替えることもできる。
【００１６】
図６に示すペットの墓Ｐｄは、箱型の下台石２と、蓋石３と、支持石４とからなり、支持石４は、段々の上に十字架を想定して十文字形において幅広く形成され、その上面が傾斜面となっており、傾斜面に一回り小さい同じ十文字において、十文字形の対面プレート５を落ち込ませる凹所２７が形成される。
【００１７】
図７のペットの墓Ｐｅは、座面石１と、下台石２と、支持石４とからなり、蓋石が無い場合であって、下台石２を逆箱形に形成することにより、その中に座面石１を底部とする納骨室９が設けられる。しかし、この場合は、逆箱形とはいっても上面から前面に掛けて湾曲して形成される。また、支持石４は、上面が湾曲形状において傾斜し、その湾曲した傾斜面に対面プレート５を落ち込ませる凹所２７が形成される。
【００１８】
図８のペットの墓Ｐｆは、座面石１と、その上に直接載る支持石４とからなり、納骨室は無く、座面石１の後部に支持石４を置くことにより、その前部が骨壺１１と香炉１３とを置く場所としてある。支持石４は、ピラミッド形であって、その一面が対面傾斜面として、その面に二等辺三角形の対面プレート５が納まる同じ形状の凹所２７が形成されている。
【００１９】
上記のいずれのペットの墓Ｐａ〜Ｐｆの形態においても、両手で掬い上げ得る程度に特別小型の大きさにしたときには、家庭内と合同祭用というように、数個の墓に分骨するのに適し、また、たとえ老人でも軽く持ち運び移動させることができ、半永久的に、どんな片隅にも置きながら、気軽に毎日拝むことができる。なお従来は、敷地内に置く大型であったり、合同祭等では老人が車で移動したりするので、大変であった。なお、本考案のものは、小型自動車に数個（数基）載せて同時に運搬することもできる。
【００２０】
また、複数のペットの遺骨の収容と共に、それに対応する複数の対面プレート５、５…を備えるようにすることができる。これには例えば支持石４の上に深く横に長い凹溝を設け、凹溝に複数の対面プレートを差し立てる方法が考えられる。また、簡単に嵌め込み式により入れ替え可能なので、各ペット毎に適宜差し替えて使用できる。
【００２１】
レーザー彫り装置については、石，金属，木，ゴム等に対して、銃によりレーザー光線を照射すると、その部分が欠除される現象を利用するもので、パーソナルコンピュータに接続され、スキャナーにより取り込んだ写真情報に基づいて、レーザー銃を走査させながら、粗面や凹凸を形成することにより、写真様、彫刻様に影像を表現できる。これには、例えば、ナニワ研磨工業株式会社の製品を使用し得る。
【図面の簡単な説明】
【００２２】
【図１】この考案の一実施形態を示すペットの墓の斜視図である。
【図２】図１のＡ−Ａ線矢視の拡大断面図である。
【図３】他の実施形態を示すペットの墓の斜視図である。
【図４】さらに他の実施形態を示すペットの墓の斜視図である。
【図５】図４のＢ−Ｂ線矢視の拡大断面図である。
【図６】他の実施形態を示すペットの墓の斜視図である。
【図７】さらに他の実施形態を示すペットの墓の斜視図である。
【図８】さらに他の実施形態を示すペットの墓の斜視図である。
【図９】従来例を示すペットの墓の分解斜視図である。
【符号の説明】
【００２３】
Ｐａ，Ｐｂ，Ｐｃ，Ｐｄ，Ｐｅ，Ｐｆ  ペットの墓
１  座面石
２  下台石
３  蓋石
４  支持石
５  対面プレート
８  遺影
１７  係合溝
２７  凹所
【図１】
0003145075.tif 000003
【図２】
0003145075.tif 000004
【図３】
0003145075.tif 000005
【図４】
0003145075.tif 000006
【図５】
0003145075.tif 000007
【図６】
0003145075.tif 000008
【図７】
0003145075.tif 000009
【図８】
0003145075.tif 000010
【図９】
0003145075.tif 000011